(57)【要約】【課題】表示面において連続して指定された位置を表す画像を迅速に表示する。【解決手段】電気泳動素子は、書換処理が施される期間に応じた色に書き換えられる。表示装置は、サンプリングレートを１００（回／秒）と高くした場合に、書換処理を施す期間を短縮する。表示装置は、例えば時刻Ｔ＝２００ｍｓに点Ｐｔ３を検出すると、点Ｐｔ２とＰｔ３とを結ぶ軌跡画像Ｉ２の書換処理を直ちに開始することができる。これにより時刻Ｔ＝３００ｍｓには軌跡画像が表示される。書換処理の期間が長い場合、軌跡画像Ｉ２の書換処理の開始は時刻Ｔ＝４００ｍｓになってしまい、迅速な表示をすることができない。サンプリングレートが低い場合には、迅速な表示は求められないので、表示装置は書換期間を長くし、短い期間で複数回の書換処理を行うよりも電力の消費量を抑制する。【選択図】図７
2010146267.tif 000002
【特許請求の範囲】
【請求項１】
書換処理が施される期間に応じた色に書き換えられる複数の表示素子を有する表示面と、
前記書き換えられる複数の表示素子の位置を、予め決められた周期毎に検出する検出手段と、
前記検出手段により検出された位置を順次結んだ軌跡に対応する表示素子に対して前記書換処理を施して、当該表示素子の色を書き換える書換手段と、
前記位置が指定されているときに、前記検出手段が当該位置を検出する周期を変更する周期変更手段と、
前記周期変更手段によって前記周期が短縮するように変更された場合に、前記書換手段が前記表示素子に施す前記書換処理の期間を短縮する書換期間変更手段と
を備えることを特徴とする表示装置。
【請求項２】
書換処理が施される期間に応じた色に書き換えられる複数の表示素子を有する表示面と、
前記書き換えられる複数の表示素子の位置を、予め決められた周期毎に検出する検出手段と、
前記検出手段により検出された位置を順次結んだ軌跡に対応する表示素子に対して前記書換処理を施して、当該表示素子の色を書き換える書換手段と、
前記位置が指定されているときに、前記検出手段が当該位置を検出する周期を変更する周期変更手段と、
前記周期変更手段によって前記周期を長くするように変更された場合に、前記書換手段が前記表示素子に施す前記書換処理の期間を長くする書換期間変更手段と
を備えることを特徴とする表示装置。
【請求項３】
前記周期変更手段は、
前記検出手段によって前記位置が検出されると、当該位置における前記軌跡の方向を特定する方向特定手段を備え、
前記方向特定手段により特定される前記軌跡の方向が変化した場合に、当該方向の変化量が増大したときには、前記検出手段が前記位置を検出する周期を短縮し、前記方向の変化量が減少したときには、前記検出手段が前記位置を検出する周期を長くする
ことを特徴とする請求項１又は２に記載の表示装置。
【請求項４】
前記周期変更手段は、
前記位置が連続して指定されるときの単位時間当たりの当該位置の移動量を特定する移動量特定手段を備え、
前記移動量特定手段により特定された前記移動量が増大した場合には、前記検出手段が前記位置を検出する周期を短縮し、前記移動量が減少した場合には、前記検出手段が前記位置を検出する周期を長くする
ことを特徴とする請求項１又は２に記載の表示装置。
【請求項５】
前記書換期間変更手段は、前記検出手段が前記位置を検出する周期と同じとなるように前記書換処理の期間を変更する
ことを特徴とする請求項１〜４のいずれか１項に記載の表示装置。
【請求項６】
書換処理が施される期間に応じた色に書き換えられる複数の表示素子を有する表示面を備える表示装置を制御するためのコンピュータを、
前記書き換えられる複数の表示素子の位置を、予め決められた周期毎に検出する検出手段と、
前記検出手段により検出された位置を順次結んだ軌跡に対応する表示素子に対して前記書換処理を施して、当該表示素子の色を書き換える書換手段と、
前記位置が指定されているときに、前記検出手段が当該位置を検出する周期を変更する周期変更手段と、
前記周期変更手段によって前記周期が短縮するように変更された場合に、前記書換手段が前記表示素子に施す前記書換処理の期間を短縮する書換期間変更手段
として機能させるためのプログラム。
【請求項７】
書換処理が施される期間に応じた色に書き換えられる複数の表示素子を有する表示面を備える表示装置を制御するためのコンピュータを、
前記書き換えられる複数の表示素子の位置を、予め決められた周期毎に検出する検出手段と、
前記検出手段により検出された位置を順次結んだ軌跡に対応する表示素子に対して前記書換処理を施して、当該表示素子の色を書き換える書換手段と、
前記位置が指定されているときに、前記検出手段が当該位置を検出する周期を変更する周期変更手段と、
前記周期変更手段によって前記周期を長くするように変更された場合に、前記書換手段が前記表示素子に施す前記書換処理の期間を長くする書換期間変更手段
として機能させるためのプログラム。
【発明の詳細な説明】
【技術分野】
【０００１】
本発明は、画像表示に要する電力の消費量の抑制する技術に関する。
【背景技術】
【０００２】
電子ペーパと呼ばれる可搬型の表示装置や、ＰＤＡ（Personal Digital Assistant）等の携帯型の表示装置等において、利用者がペンを用いて表示面をなぞることにより、ペン先が指定した位置を表す画像を表示するものが知られている。このようなペン描画においては、ペンにより指定された位置を忠実に表した画像が表示されることが望ましい。特許文献１には、ペンにより指定された位置を決められた周期でサンプリングする場合に、筆記速度に応じてサンプリング周期を変更する技術が開示されている。
【特許文献１】特開平５−３２４１７９号公報
【発明の開示】
【発明が解決しようとする課題】
【０００３】
ペン描画を行う際には、ペンにより指定された位置を表す画像をできるだけ迅速に表示することが望ましい。また、特に可搬型乃至携帯型の表示装置においては、消費電力の低減が切実に求められている。
そこで、本発明は、表示面において連続して指定された位置を表す画像を迅速に表示するとともに、電力の消費量を抑制することを目的とする。
【課題を解決するための手段】
【０００４】
上述した目的を達成するために、本発明は、書換処理が施される期間に応じた色に書き換えられる複数の表示素子を有する表示面と、前記書き換えられる複数の表示素子の位置を、予め決められた周期毎に検出する検出手段と、前記検出手段により検出された位置を順次結んだ軌跡に対応する表示素子に対して前記書換処理を施して、当該表示素子の色を書き換える書換手段と、前記位置が指定されているときに、前記検出手段が当該位置を検出する周期を変更する周期変更手段と、前記周期変更手段によって前記周期が短縮するように変更された場合に、前記書換手段が前記表示素子に施す前記書換処理の期間を短縮する書換期間変更手段とを備えることを特徴とする表示装置を提供する。これにより、指定された表示素子の位置を表す画像を迅速に表示するとことができる。
【０００５】
また、本発明は、書換処理が施される期間に応じた色に書き換えられる複数の表示素子を有する表示面と、前記書き換えられる複数の表示素子の位置を、予め決められた周期毎に検出する検出手段と、前記検出手段により検出された位置を順次結んだ軌跡に対応する表示素子に対して前記書換処理を施して、当該表示素子の色を書き換える書換手段と、前記位置が指定されているときに、前記検出手段が当該位置を検出する周期を変更する周期変更手段と、前記周期変更手段によって前記周期を長くするように変更された場合に、前記書換手段が前記表示素子に施す前記書換処理の期間を長くする書換期間変更手段とを備えることを特徴とする表示装置を提供する。これにより、指定された表示素子の位置を表す画像を迅速に表示することができる。
【０００６】
本発明の好ましい態様において、前記周期変更手段は、前記検出手段によって前記位置が検出されると、当該位置における前記軌跡の方向を特定する方向特定手段を備え、前記方向特定手段により特定される前記軌跡の方向が変化した場合に、当該方向の変化量が増大したときには、前記検出手段が前記位置を検出する周期を短縮し、前記方向の変化量が減少したときには、前記検出手段が前記位置を検出する周期を長くする。これにより、軌跡の方向の変化量が大きい場合においても、軌跡を表す画像を忠実に表示することができる。
また、本発明の別の好ましい態様において、前記周期変更手段は、前記表示面において位置が連続して指定されるときの単位時間当たりの当該位置の移動量を特定する移動量特定手段を備え、前記移動量特定手段により特定された前記移動量が増大した場合には、前記検出手段が前記位置を検出する周期を短縮し、前記移動量が減少した場合には、前記検出手段が前記位置を検出する周期を長くする。これにより、位置が連続して指定されるときの単位時間当たりの移動量が大きい場合においても、軌跡を表す画像を忠実に表示することができる。
【０００７】
本発明の好ましい態様において、前記書換期間変更手段は、前記検出手段が前記位置を検出する周期と同じとなるように前記書換処理の期間を変更する。これにより、表示面において連続して指定された位置を表す画像をさらに迅速に表示することができる。
【０００８】
また、本発明は、書換処理が施される期間に応じた色に書き換えられる複数の表示素子を有する表示面を備える表示装置を制御するためのコンピュータを、前記書き換えられる複数の表示素子の位置を、予め決められた周期毎に検出する検出手段と、前記検出手段により検出された位置を順次結んだ軌跡に対応する表示素子に対して前記書換処理を施して、当該表示素子の色を書き換える書換手段と、前記位置が指定されているときに、前記検出手段が当該位置を検出する周期を変更する周期変更手段と、前記周期変更手段によって前記周期が短縮するように変更された場合に、前記書換手段が前記表示素子に施す前記書換処理の期間を短縮する書換期間変更手段として機能させるためのプログラムを提供する。これにより、指定された表示素子の位置を表す画像を迅速に表示するとことができる。
また、本発明は、書換処理が施される期間に応じた色に書き換えられる複数の表示素子を有する表示面を備える表示装置を制御するためのコンピュータを、前記書き換えられる複数の表示素子の位置を、予め決められた周期毎に検出する検出手段と、前記検出手段により検出された位置を順次結んだ軌跡に対応する表示素子に対して前記書換処理を施して、当該表示素子の色を書き換える書換手段と、前記位置が指定されているときに、前記検出手段が当該位置を検出する周期を変更する周期変更手段と、前記周期変更手段によって前記周期を長くするように変更された場合に、前記書換手段が前記表示素子に施す前記書換処理の期間を長くする書換期間変更手段として機能させるためのプログラムを提供する。これにより、指定された表示素子の位置を表す画像を迅速に表示するとことができる。
【発明を実施するための最良の形態】
【０００９】
次に、本発明を実施するための最良の形態について、図面を参照しながら説明する。
（Ａ）第１実施形態
（Ａ−１）表示装置１０の構成
図１は、表示装置１０を示す外観図である。表示装置１０は、電子ペーパなどと呼ばれる可搬型の表示装置である。図１に示すように、表示装置１０の前面には、操作部１５、表示面１４１およびタッチパネル１７が設けられている。表示面１４１は、複数の表示素子を有しており、これらの表示素子が並べられて矩形領域を成している。タッチパネル１７は、表示面１４１と同じサイズの矩形領域を有するスクリーン状の略透明な部材であり、表示面１４１の前面側に配置されている。利用者が、スタイラスペン２のペン先をタッチパネル１７の表面に沿って動かすと、ペン先が指定した位置を表す画像が表示面１４１に表示される。
【００１０】
図２は、表示装置１０の構成を示すブロック図である。同図に示すように、表示装置１０が備える各構成は、バス１８を介して接続されている。
制御部１１は、ＣＰＵ（Central Processing Unit）やメモリ、タイマ等を有しており、ＣＰＵがメモリに記憶されているプログラムを実行して、表示装置１０の各部を制御する。制御部１１が有するタイマは水晶振動子を有する発振回路を備えており、その発振回路から出力される発信信号に基づいて時刻を計測する。電源部１２は、例えばＮｉ−Ｃｄ系電池やリチウムイオン系電池などの充電可能な２次電池を備えている。２次電池の直流電圧は、表示装置１０の作動に要する電力として、図示せぬ電力線を介して表示装置１０の各部に供給される。
【００１１】
記憶性表示体１４は、例えば横方向に７６８列で縦方向に１０２４行という複数の電気泳動素子（表示素子）からなる反射型の表示面１４１を有している。これらの電気泳動素子は、駆動電圧が印加されると、当該駆動電圧に応じた画像を表示する。表示コントローラ１３は、記憶性表示体１４の各電気泳動素子に駆動電圧を印加して駆動することにより、画像情報に応じた画像を記憶性表示体１４に表示させる。このように表示コントローラ１３は、駆動電圧の印加により、表示面１４１の各表示素子の色を書き換えて画像を表示するから、以下ではこの処理のことを「書換処理」と称する。
【００１２】
操作部１５は、方向ボタンやスイッチなどを備えており、ユーザによる操作を受け付けてその操作内容に応じて操作信号を制御部１１に供給する。記憶部１６は、例えばＥＥＰＲＯＭ（Electrically Erasable and Programmable Read Only Memory）やフラッシュメモリ等の不揮発性の記憶手段であり、画像情報等の表示の対象となる各種のデータを記憶する。タッチパネル１７は、所定の微小領域毎に、スタイラスペン２のペン先等の物体の接触の有無を感知する。この微小領域は、表示面１４１の所定数の複数の画素（例えば、１×１画素や３×３画素）にそれぞれ対応付けられている。タッチパネル１７は、物体が接触していることを示す感知信号を微小領域毎に出力し、これを表示面１４１において指定された位置として、制御部１１に供給する。各々の微小領域に対しては、それぞれの位置を表す座標が割り当てられている。タッチパネル１７における各座標は、制御部１１のメモリに予め記憶されている。なお、タッチパネルにおいて、静電容量式や、電磁誘導式、抵抗膜式等の種々の方式のものが知られているが、タッチパネル１７においてはどの方式のものが用いられてもよい。すなわち、制御部１１は、タッチパネル１７により、表示面１４１において連続して指定された位置を、決められた周期毎に検出する検出手段の一例である。
【００１３】
（Ａ−２）記憶性表示体１４の構成
次に、記憶性表示体１４の構成について詳細に説明する。
図３は、記憶性表示体１４の構造を模式的に示した図である。同図に示すように、記憶性表示体１４は、第１基板１４２１、電気泳動素子Ｐ１１，Ｐ１２，Ｐ１３・・・、バインダ１４２２、第２基板１４２３により構成されている。第１基板１４２１は、ガラス基板であり、その図中上方の表面側には画素電極ＰＥ１１、ＰＥ２１、ＰＥ３１・・・が配列されている。第１基板１４２１に対向する第２基板１４２３は、透明なガラス基板であり、その図中下方の裏面側には共通電極ＣＥが設けられている。画素電極ＰＥ１１，ＰＥ２１，ＰＥ３１・・・と、共通電極ＣＥとの間には、膨大数の電気泳動素子が並べられた状態でバインダ１４２２により固定されている。
【００１４】
各電気泳動素子は、マイクロカプセル化されている。カプセル壁ＣＷとしてのポリマー膜内には、マイナス（−）に帯電した黒色顔料粒子ＢＧ及びプラス（＋）に帯電した白色顔料粒子ＷＧを分散させた液体（分散媒ＤＭ）が封入されている。このように、記憶性表示体１４の表示面１４１には、着色された複数の帯電粒子を分散させた液体が封入された、複数の電気泳動素子が配列されている。
黒色顔料粒子ＢＧおよび白色顔料粒子ＷＧの位置は、外部から与えられる電界により規定され、さらに分散媒ＤＭにより安定的に維持される。この電界は「書換処理」により与えられるものである。電気泳動素子が黒を表示しようとするときには、制御部１１は、画素電極ＰＥが共通電極ＣＥよりも高電位となり、裏面側から表面側（表示面１４１側）へと向かう電界を与えるように書換処理を施す。この電界の作用により、正に帯電している黒顔料粒子ＢＧは、カプセル壁ＣＷ内において表面側に近付くように分散媒ＤＭ内（液体内）を移動させられると共に、負に帯電している白顔料粒子ＷＧは、カプセル壁ＣＷ内において裏面側に近付くように移動させられる。一方で、電気泳動素子が白を表示しようとするときには、制御部１１は、画素電極ＰＥが共通電極Ｐよりも低電位となり、表面側から裏面側へと向かう電界を与えるように書換処理を施す。この電界の作用により、白顔料粒子ＷＧは表面側に近付くように分散媒ＤＭ内（液体内）を移動させられると共に、黒顔料粒子ＢＧは裏面側に近付くように移動させられる。
【００１５】
ところで、電気泳動素子の色が書換処理によって書き換えられるときには、書き換え前の色から書き換え後の色へと徐々に遷移する。よって、書換処理が施される期間（以下、「書換期間」という。）が十分に長い場合には、黒色顔料粒子ＢＧ及び白色顔料粒子ＷＧの移動が完了した状態となるため、表示素子は黒色又は白色という意図した最終的な色を表示する。一方で、書換期間が十分でない場合には、黒色顔料粒子ＢＧと白色顔料粒子ＷＧとが移動して白黒が切り替わる途中の状態となる。例えば書換処理を３００ｍｓ（ミリ秒）だけ施して、白から黒への色の遷移が完了する場合に、それよりも短い期間、例えば１００ｍｓ間だけ書換処理を施しただけでは、その途中段階の色として、意図する最終的な黒よりも明度の高い色が表示される。また、黒色顔料ＢＧ及び白色顔料ＷＧの位置は、電圧の印加がなくてもその状態が維持される。これを、表示の記憶性という。つまり、記憶性表示体１４は、画像を表示した後は、電圧が印加されなくても表示した画像を保持することができる。よって、電気泳動素子に対し書換処理が施され、それが一旦中断してから、書換処理が再開された場合には、電気泳動素子は、中断前後の書換処理の期間の総和に応じた色を表示する。このように、表示面１４１は、書換処理が施される期間に応じた色に書き換えられる複数の表示素子を有する。
【００１６】
図４は、利用者がスタイラスペン２を使って表示装置１０の表示面１４１上に描画するときの様子の一例を示す図である。
図４に示すように、利用者がスタイラスペン２のペン先を、表示面１４１の前面側に配置されたタッチパネル１７の表面に沿って移動させることにより、表示面１４１において連続して位置を指定する。この指定が行われている間において、制御部１１は、タイマにより計測した時刻に基づき、その指定された位置を決められた周期毎に検出する。この周期は、例えば、０．０１秒である。すなわち、制御部１１及びタッチパネル１７は、表示面１４１において連続して指定された位置を、決められた周期毎に検出する検出手段の一例である。そして、制御部１１は、タッチパネル１７上において検出した位置に対応する座標をメモリから取得し、その座標を順次結んだ軌跡に対応する表示面１４１の表示素子の色を、書換処理を施して書き換える。すなわち、制御部１１は、書換手段の一例である。このようにして、制御部１１は、利用者によって指定された位置を表し、軌跡を表す画像を表示面１４１に表示する。
【００１７】
（Ａ−３）サンプリングレートの変更
表示装置１０の制御部１１は、連続して表示面１４１において位置が指定されているときに、その指定の態様の変化に応じて、サンプリングレートを変更する。ここでの位置の指定の態様は軌跡の方向のことである。具体的には、制御部１１が連続して検出した２つの位置（座標）を結ぶ線分の方向を、その軌跡の方向として特定する。制御部１１は、軌跡の方向の変化量が増大した場合には、サンプリングレートを高くし、軌跡の方向の変化量が減少した場合には、サンプリングレートを低くする。換言すれば、制御部１１は、曲率が大きい曲線状の位置が指定された場合ほど、サンプリングレートを高くし、直線状或いは曲率が小さい略直線状の位置が指定された場合には、サンプリングレートを低くする。サンプリングレートは、制御部１１がタッチパネル１７によって位置を検出する周期を表す値であり、その単位は「回／秒」である、すなわち、制御部１１が、タッチパネル１７上で指定された位置を検出する１秒間当たりの回数である。サンプリングレートが高いほど、制御部１１が位置を検出する周期は短く、サンプリングレートが低いほど、制御部１１が位置を検出する周期は長い。
続いて、サンプリングレートを変更する理由について説明する。
【００１８】
図５、６は、それぞれ異なる２種類のサンプリングレートで位置を検出した場合において、制御部１１が検出するタッチパネル１７上の位置と、表示面１４１に表示される軌跡を表す画像の位置との関係を表した図である。図５は、曲線状に連続する位置ｔ１が指定された場合の例を表す図であり、図６は、直線状に連続する位置ｔ２が指定された場合の例を表す図である。図５（ａ）、図６（ａ）はサンプリングレートが低い場合の例を表し、図５（ｂ）、図６（ｂ）はサンプリングレートが高い場合の例を表す。具体的には、各図（ｂ）に示す例のサンプリングレートは、同図（ａ）に示すそれの２倍である。図５、６において破線で示した線が、利用者のスタイラスペン２の操作によって実際に指定された位置ｔ１，ｔ２を表し、各点を結ぶ実線の線分が、表示面１４１に表示される軌跡を表す画像（以下、「軌跡画像」という。）の位置を表す。なお、以下の説明において、「Ｐｔ」という符号を用いて示す各点は、制御部１１が検出した位置を表し、その末尾に付した値が大きくなる方向に、スタイラスペン２によって連続して位置が指定される。
【００１９】
まず、図５（ａ）に示すように、位置ｔ１の方向の推移に着目すると、点Ｐｔ３２，Ｐｔ３４，Ｐｔ３６，Ｐｔ３８で、軌跡の方向が大きく変化していることが分かる。そして、これら各点に後続する位置においては、位置ｔ１と軌跡画像との位置のずれが大きくなっている。このように、軌跡の方向の変化量が大きい場合には、実際に指定された位置に対して、表示面１４１に表示される画像の位置のずれが大きくなることがある。
【００２０】
一方、図５（ｂ）に示すように、同図（ａ）の場合の２倍のサンプリングレートで位置が検出されると、図５（ａ）に示す点Ｐｔ３２とＰｔ３３との間において点Ｐｔ４２が検出され、点Ｐｔ３４とＰｔ３５との間において点Ｐｔ４４が検出され、点Ｐｔ３６とＰｔ３７との間において点Ｐｔ４６が検出され、点Ｐｔ３８とＰｔ３９との間において点Ｐｔ４８が検出される。これにより、図５（ａ）に示す例では、位置ｔ１と軌跡画像とがずれていた位置においても、両者が良好に一致していることが分かる。このように、表示面１４１において指定された位置に応じた軌跡画像を忠実に表示するためには、サンプリングレートが高いほど好適である。しかしながら、サンプリングレートを高くすると、制御部１１がタッチパネル１７によって位置を検出する頻度が高くなるから、表示装置１０の電力の消費量が大きくならざるを得ない。
【００２１】
続いて、図６に示すように直線状に位置ｔ２が指定された場合には、同図（ａ）、（ｂ）に示すように、どちらのサンプリングレートであっても、軌跡画像が忠実に表示されている。このように、直線状又は曲率が小さい曲線状（略直線状）に位置が指定された場合には、サンプリングレートの高低に関係なく、軌跡画像が忠実に表示される。換言すれば、直線状又は略直線状に連続する位置が指定された場合には、制御部１１が位置を検出するときのサンプリングレートが低くても、軌跡画像の表示に悪影響が与えられることがない。このようになるのは、上述したように、制御部１１がタッチパネル１７により検出した位置どうしを順次結んで軌跡画像を表示するからである。
以上のような事情に鑑み、制御部１１は、軌跡の方向が変化した場合に、その変化量が増大したときにはサンプリングレートを高くし、軌跡の方向の変化量が減少したときには、サンプリングレートを低くする。ここでは、制御部１１は、変化量の増減があったことを判断すると、直ちにサンプリングレートを変更するものとする。なお、軌跡の方向の変化量とサンプリングレートの対応関係は予め記憶部１６に記憶されており、制御部１１は、この対応関係に従ってサンプリングレートを変更する。
【００２２】
（Ａ−４）書換期間の変更
表示装置１０の制御部１１は、「（Ａ−３）サンプリングレートの変更」の項で説明したようにしてサンプリングレートを変更するとともに、その変更に応じて、書換処理を施す期間（以下、「書換期間」という。）を特定する。具体的には、制御部１１は、サンプリングレートを高くする（位置検出の周期を短縮する）ように変更した場合には、それとともに書換期間を短縮し、サンプリングレートを低くする（位置検出の周期を長くする）ように変更した場合には、書換期間を長くする。すなわち、制御部１１は、書換期間変更手段の一例である。
続いて、表示装置１０におけるサンプリングレートと書換期間との関係について説明する。
【００２３】
図７は、サンプリングレートを１００（回／秒）とした場合に表示される軌跡画像の時系列的な遷移の様子を表す図である。同図（ａ）は、書換期間を１００ｍｓとした場合の例を表し、同図（ｂ）は、書換期間を３００ｍｓとした場合の例を表す。ここでは、書換処理を３００ｍｓ間だけ行うと書換処理が完了するものとする。サンプリングレートが１００（回／秒）である場合、制御部１１が位置検出を行う周期は１００ｍｓであるから、同図（ａ）の書換期間に一致している。また、図７においては、時刻Ｔ＝０ｍｓに点Ｐｔ１が指定され、点Ｐｔ１，Ｐｔ２，・・・という具合に、その末尾に付した値が大きくなる方向に連続して位置が指定されるものとする。また、図７において、「Ｐｔ」という符号を矩形で囲んだ位置に、スタイラスペン２のペン先が位置している。また、各点を結ぶ実線の線分は軌跡画像を表し、その線が太いほど、軌跡画像が黒に近い色であることを意味している。なお、以下の説明では、「濃度」が高いほど、電気泳動素子が表示する色が黒に近く、明度の低い色を表示するものとする。
【００２４】
まず、図７（ａ）に示す「書換期間」が短い（１００ｍｓ）場合について説明する。
制御部１１は、時刻Ｔ＝０ｍｓに点Ｐｔ１を検出し、時刻Ｔ＝１００ｍｓに点Ｐｔ２を検出すると、点Ｐｔ１と点Ｐｔ２とを結ぶ軌跡画像Ｉ１を表示するための書換処理を開始する。続いて、時刻Ｔ＝２００ｍｓになると、制御部１１は点Ｐｔ３を検出する。この時刻で、軌跡画像Ｉ１の書換処理の開始から１００ｍｓが経過しているので、低い濃度の軌跡画像Ｉ１が表示される。また、この時刻に、制御部１１は、点Ｐｔ２と点Ｐｔ３とを結ぶ軌跡画像Ｉ２を表示するための書換処理を開始する。
次に、時刻Ｔ＝３００ｍｓに、制御部１１は点Ｐｔ４を検出する。この時刻で、軌跡画像Ｉ１の書換処理の開始からは２００ｍｓが経過しているので、中濃度の軌跡画像Ｉ１が表示され、軌跡画像Ｉ２の書換処理の開始からは１００ｍｓが経過しているので、低濃度の軌跡画像Ｉ２が表示される。また、この時刻に、制御部１１は、点Ｐｔ３と点Ｐｔ４とを結ぶ軌跡画像Ｉ３を表示するための書換処理を開始する。
【００２５】
そして、時刻Ｔ＝４００ｍｓに、制御部１１は点Ｐｔ５を検出する。この時刻で、軌跡画像Ｉ１の書換処理の開始からは３００ｍｓが経過しているので、最終的な色として、高濃度の軌跡画像Ｉ１が表示される。また、軌跡画像Ｉ２の書換処理の開始からは２００ｍｓが経過しているので、中濃度の軌跡画像Ｉ２が表示され、軌跡画像Ｉ３の書換処理の開始からは１００ｍｓが経過しているので、低濃度の軌跡画像Ｉ３が表示される。また、この時刻に、制御部１１は、点Ｐｔ４と点Ｐｔ５とを結ぶ軌跡画像Ｉ４を表示するための書換処理を開始する。
以降の時刻においても、制御部１１は、上記と同じ手順で位置検出、及び書換処理を行う。このように、制御部１１は位置検出をすると、直ちに、その位置とその直前に検出した位置とを結ぶ軌跡画像を表示するための書換処理を施す。これにより、スタイラスペン２のペン先により位置が指定されてから、迅速に軌跡画像が表示される。具体的には、ここでは、位置の指定から１００ｍｓ後には低濃度の軌跡画像が表示される。このように、最終的な色よりも濃度の低い軌跡画像を表示するだけであれば、書換処理の期間が短くて済むから、これを利用して、表示装置１０は、ペン先の移動に良好に追随した軌跡画像を表示するようにしている。
【００２６】
次に、図７（ｂ）に示す「書換期間」が長い（３００ｍｓ）場合について説明する。
時刻Ｔ＝１００ｍｓに、制御部１１が点Ｐｔ２を検出すると、この時刻に点Ｐｔ１と点Ｐｔ２とを結ぶ軌跡画像Ｉ１を表示するための書換処理を開始する。続いて、時刻Ｔ＝２００ｍｓに、制御部１１は点Ｐｔ３を検出する。この時刻に、軌跡画像Ｉ１の書換処理の開始からは１００ｍｓが経過しているので、低濃度の軌跡画像Ｉ１が表示される。ただし、書換期間の最中であるから、制御部１１は、別の軌跡画像を表示するための書換処理を開始しない。次に、時刻Ｔ＝３００ｍｓに、制御部１１は点Ｐｔ４を検出する。この時刻に、軌跡画像Ｉ１の書換処理の開始から２００ｍｓが経過しているので、中濃度の軌跡画像Ｉ１が表示される。ただし、ここでも書換期間の最中であるから、制御部１１は、別の軌跡画像を表示するための書換処理を開始しない。
【００２７】
そして、時刻Ｔ＝４００ｍｓに、制御部１１は点Ｐｔ５の位置を検出する。この時刻に、軌跡画像Ｉ１の書換処理の開始から３００ｍｓが経過しているので、最終的な色である、高濃度の軌跡画像Ｉ１が表示される。そして、制御部１１は、この時刻Ｔ＝４００ｍｓにおいて、検出した点Ｐｔ２、点Ｐｔ３、点Ｐｔ４、点Ｐｔ５を順次結ぶ軌跡画像Ｉ２，Ｉ３，Ｉ４を表示するための書換処理を開始する。このように、制御部１１が軌跡画像Ｉ２，Ｉ３を表示するための書換処理の開始時刻は、図７（ａ）の場合のそれよりも遅れている。
以降の時刻においても、制御部１１は、同じ手順で位置検出及び書換処理を行う。このように「書換期間」が長いと、制御部１１が位置を検出をしても、実行中の書換処理が完了するまでは別の軌跡画像を表示するための書換処理を開始することができない。具体的には、図７（ｂ）の例では、制御部１１が時刻Ｔ＝２００ｍｓに点Ｐｔ３を検出してから３００ｍｓが経過するまで、軌跡画像Ｉ３が表示されないことになる。よって、書換期間が長いと、表示装置１０は、スタイラスペン２のペン先の移動に良好に追随した軌跡画像を表示することができない。
【００２８】
次に、図８は、サンプリングレートを３００（回／秒）とした場合の、表示面１４１に表示される軌跡画像の時系列的な遷移の様子を表す図である。なお、サンプリングレートが３００（回／秒）であるときには、制御部１１及びタッチパネルが位置検出を行う周期はおよそ０．００３ｍｓである。図８においても、時刻Ｔ＝０ｍｓに点Ｐｔ１が指定され、点Ｐｔ１，Ｐｔ２，・・・という具合に、符号「Ｐｔ」の末尾に付した値が大きくなる方向に連続して位置が指定される。また、図８においても、「Ｐｔ」という符号を矩形で囲んだ位置に、スタイラスペン２のペン先が位置するものとする。また、同図において、破線は、スタイラスペン２によって指定された位置を表す。
【００２９】
制御部１１は、時刻Ｔ＝０ｍｓに点Ｐｔ１の位置を検出する。次に、制御部１１は、Ｔ＝１００ｍに書換処理の開始を試みる。ただし、この時点では点Ｐｔ１に続く位置をまだ検出していないから、制御部１１は、軌跡画像を表示するための書換処理を開始しない。時刻Ｔ＝２００ｍにも、次の位置が検出されていないため、制御部１１は書換処理を開始しない。そして、時刻Ｔ＝３００ｍｓに、制御部１１は点Ｐｔ４を検出する。この時刻に、制御部１１は、点Ｐｔ１と点Ｐｔ４とを結ぶ軌跡画像Ｉ１１を表示するための書換処理を開始する。
【００３０】
時刻Ｔ＝４００ｍに低濃度の軌跡画像Ｉ１１が表示されるが、制御部１１はまだ点Ｐｔ４に続く位置を検出していないから、ここでも別の軌跡画像を表示する書換処理を開始しない。時刻Ｔ＝５００ｍには中濃度の軌跡画像Ｉ１１が表示されるが、この時刻でも、次の位置を検出していないため、制御部１１は別の軌跡画像を表示するための書換処理を開始しない。そして、時刻Ｔ＝６００ｍに、制御部１１は点Ｐｔ７の位置を検出する。ここで、制御部１１は、点Ｐｔ４と点Ｐｔ７とを結ぶ軌跡画像Ｉ１２を表示するための書換処理を開始する。このとき、軌跡画像Ｉ１１の書換処理の開始からは３００ｍｓが経過しているので、最終的な高濃度の軌跡画像Ｉ１１が表示される。このように、制御部１１が位置検出する周期よりも短い期間で書換処理を行ったとしても、書換処理を開始可能になったときにまだ次の位置検出を行っていないから、新たに軌跡画像を表示するための書換処理を開始することができない。
【００３１】
すなわち、図８に示す例の場合、制御部１１は、Ｔ＝３００ｍに点Ｐｔ４の位置を検出して軌跡画像Ｉ１１を表示するための書換処理を開始し、Ｔ＝６００ｍに点Ｐｔ７の位置を検出して軌跡画像Ｉ１２を表示するための書換処理を開始しさえすれば、位置の指定に対する軌跡画像の表示の追随性は確保される。すなわち、表示装置１０は、書換処理の期間を１００ｍｓにしても、３００ｍｓにしても、どちらでも同じ時刻に軌跡画像を表示する。よって、サンプリングレートが低い場合には、制御部１１が書換期間を長くすることにより、表示装置１０の電力の消費量を抑制することができる。短い書換期間で多くの回数の書換処理を行うよりも、長い書換期間で少ない回数の書換処理を行う方が、消費電力の抑制には好適であるからである。
【００３２】
以上説明した第１実施形態において、表示装置１０の制御部１１は、軌跡の方向の変化量に応じてサンプリングレートを変更して位置検出を行い、その変更に応じて書換期間を変更する。これにより、表示装置１０は、軌跡画像を忠実に表示しつつ、それに要する電力の消費量の抑制することができる。また、制御部１１は、サンプリングレートが増減した場合には、それに応じて書換期間の長さを変更する。これにより、位置の指定に対する軌跡画像の表示の追随性を確保したまま、表示装置１０の電力の消費量を抑制することができる。
【００３３】
（Ｂ）第２実施形態
次に、本発明による第２実施形態について説明する。本実施形態の特徴は、表示面１４１において位置が連続して指定されるときの単位時間当たりの移動量（以下、「指定速度」という。）を指定の態様として、サンプリングレート及び書換期間を変更する点にある。なお、前述した第１実施形態と同一の構成要素に同一の符号を付し、その説明を省略するものとする。
【００３４】
この第２実施形態では、制御部１１は、位置を検出するたびに指定速度を求める。具体的には、制御部１１は、連続して検出したタッチパネル１７上の２つの位置の間の距離を、その位置検出を行ったときの周期で除した値を、指定速度として求める。これにより、制御部１１は、単位時間当たりのペン先の移動量を特定したことになる。そして、制御部１１は、指定速度が増大した場合には、サンプリングレートを高く変更し、指定速度が減少した場合には、サンプリングレートを低く変更する。なお、指定速度の変更量とサンプリングレートとの対応関係は予め記憶部１６に記憶されており、制御部１１は、この対応関係に基づいてサンプリングレートを変更し、第１実施形態と同じようにして書換期間を変更する。
【００３５】
図９は、タッチパネル１７上の位置と、表示面１４１に表示される軌跡画像の位置との関係を表した図である
制御部１１が、或る一定のサンプリングレートで位置検出を行った場合、指定速度が大きいほど、検出した位置どうしの距離は大きくなってしまう。表示装置１０は、検出した位置を順次結んで表示面１４１に画像を表示するから、指定速度が大きいほど、指定された位置に対する軌跡画像の忠実さが低下しやすくなる。例えば、図９（ａ）に示すように、点Ｐｔ１１，Ｐｔ１２を結ぶ軌跡画像Ｉ１１が表示されていても、実際にユーザにより指定された位置は、例えばｔ１１〜ｔ１３のような種々のものが考えられるから、その指定の仕方によっては、軌跡画像の忠実さがかなり損なわれてしまう。一方、図９（ｂ）に示すように、指定速度が小さい場合には、連続して指定される位置の形態は、同図（ａ）に示す指定速度が大きい場合よりも限定的になり、位置ｔ２１〜ｔ２３に示すように、点Ｐｔ１１，Ｐｔ１２を線分で結んだものに近くなるはずである。よって、制御部１１は、指定速度が増大したときにサンプリングレートを高くして軌跡画像を忠実に表示できるようにし、指定速度が減少したときに、サンプリングレートを低くして、電力の消費量を抑制できるようにする。
この場合も、制御部１１は、サンプリングレートの変更に応じて書換期間を変更するから、図７，８を用いて説明した同様の理由により、ペン先の移動に対する追随性を確保しつつ、電力の消費量の抑制を図ることができる。
【００３６】
（Ｃ）変形例
なお、上記実施形態を次のように変形してもよい。具体的には、例えば以下のような変形が挙げられる。これらの変形は、各々を適宜に組み合わせることも可能である。
（Ｃ−１）変形例１
表示面１４１において連続して位置が指定されるときの指定の態様を、上述した第１実施形態では軌跡の方向とし、第２実施形態では指定速度としていた。これに対し、スタイラスペン２により位置が指定されているときに、制御部１１がサンプリングレートに応じて書換期間を変更すれば、図７，８を用いて説明したようにして、実施形態と同等の作用効果が得られる。よって、スタイラスペン２で位置が指定されているときに、制御部１１がどのような契機でサンプリングレートを変更してもよい。
また、表示装置１０は、指定の態様として、軌跡の方向及び指定速度の両方を用いてもよい。この場合、制御部１１は、それぞれの指定の態様に基づいてサンプリングレートを特定し、そのうちの高い方を採用してもよいし、低い方を採用するようにしてもよい。また、制御部１１は、いずれか一方の指定の態様に応じてサンプリングレートを求め、他方の指定の態様に応じてそのサンプリングレートを補正し、補正後のサンプリングレートに応じた書換期間を特定しても良い。例えば、制御部１１は、軌跡の方向の変化量に基づいて求めたサンプリングレートを、指定速度が高かった場合には、それを更に高くするように補正する。
【００３７】
（Ｃ−２）変形例２
上述した第１及び第２実施形態において、制御部１１がタッチパネル１７により位置を検出する周期と、書換期間とは一致していた。これにより、制御部１１は、位置検出をした後に、直ちに書換処理を開始できるから、軌跡画像を迅速に表示することができる。これに対し、制御部１１は、サンプリングレートよりも長い書換期間を設定してもよい。この場合、位置の指定に対する軌跡画像の表示の追随性はやや劣るが、軌跡画像をより高い濃度で表示できるようになり、ユーザがそれを視認しやすくなるという効果がある。
【００３８】
（Ｃ−３）変形例３
上述した第１実施形態では、制御部１１は、利用者に連続した位置が指定され、その位置を検出するたびに軌跡の方向の変化量を求めていたが、表示面１４１に軌跡画像を表示するための位置検出の周期よりも長い周期毎に、軌跡の方向の変化量を求めてもよい。また、第２実施形態では、制御部１１は、表示面１４１に軌跡画像を表示するための位置検出の周期よりも長い周期毎に、指定速度を求めてもよい。
【００３９】
（Ｃ−４）変形例４
上述した第１実施形態では、制御部１１は、軌跡の方向の変化量が閾値を超えた頻度に基づいてサンプリングレートを変更してもよい。例えば、単位時間当たりに閾値以上の回数だけ、曲率が大きい曲線状に位置が指定されたとすると、その後においても、曲率が大きい曲線状の位置が指定される可能性が高いと推測できる。そこで、制御部１１は、軌跡の方向の変化量が増大する頻度が閾値を超えたと判断すると、連続した位置の指定が終了するまで、この高いサンプリングレートを維持したままで位置検出を行うようにしてもよい。これと同様に、制御部１１は、軌跡の方向の変化量が減少する頻度が閾値を超える場合に、描画が終了するまでサンプリングレートを低くするようにしてもよい。第２実施形態においても、制御部１１は、指定速度が増大する頻度が閾値を超えたと判断すると、連続した位置の指定が終了するまで、この高いサンプリングレートを維持したままで位置検出を行うようにしてもよい。これと同様に、制御部１１は、指定速度が減少する頻度が閾値を超える場合に、描画が終了するまでサンプリングレートを低くするようにしてもよい。
【００４０】
（Ｃ−５）変形例５
上述した第１実施形態において、表示装置１０は、特定した軌跡の方向の変化量が増大したときにはサンプリングレートを高くし、軌跡の方向の変化量が減少したときにはサンプリングレートを低くしていた。これに対し、これらのうちのいずれか一方のみを表示装置１０が実行するようにしてもよい。例えば、制御部１１は、特定した軌跡の方向の変化量が増大したときには初期設定からサンプリングレートを高くし、或る決められた時間が経過すると、初期設定のサンプリングレートに戻す。同様に、制御部１１は、特定した軌跡の方向の変化量が減少したときには初期設定からサンプリングレートを低くし、或る決められた時間が経過すると、初期設定のサンプリングレートに戻す。また、第２実施形態では、制御部１１は、指定速度が増大したときに初期設定からサンプリングレートを高くして、或る決められた時間が経過すると、初期設定のサンプリングレートに戻し、指定速度が減少したときに初期設定からサンプリングレートを低くして、或る決められた時間が経過すると、初期設定のサンプリングレートに戻すようにしてもよい。
【００４１】
（Ｃ−６）変形例６
上述した第１及び第２実施形態では、記憶性表示体１４は電気泳動素子を有する表示面１４１を有していたが、書換期間に応じて色が遷移し、やがて最終的な色を表示する性質を有する表示素子であれば、その他の表示素子が用いられてもよい。また、「書換処理」は、表示素子の色を書き換えるための処理であるから、表示素子に応じてその内容は変わる。また、表示素子の色は、書換期間に比例して変化する必要はなく、少なくとも或る一定範囲の期間において、表示素子の色が書換期間に応じて変化すればよい。例えば、書き換え期間０〜１００ｍｓではほとんど色が変化せず、書換期間が１００〜２００ｍｓではその書換期間に応じた色に変化し、書換期間が２００〜３００ｍｓではほとんど色が変化しないような場合であっても、少なくとも書換期間が１００〜２００ｍｓにおいては、その書換期間に応じた色に変化しているので、書換処理が施される期間に応じた色に書き換えられる表示素子に相当する。
また、濃度の制御を自在に行える表示素子が用いられてもよい。要するに、書換処理が施される期間において表示素子の色が書き換えられる表示素子であればよい。また、表示装置１０は、単色の画像を表示してもよいし、多色の画像を表示してもよい。
【００４２】
（Ｃ−７）変形例７
上述した第１及び第２実施形態では、表示装置１０は薄型で可搬性の高い電子ペーパと呼ばれる表示装置であったが、実施形態で説明したような情報処理を行うことができればよく、ＰＤＡや、携帯電話機等の表示装置であってもよい。
【００４３】
（Ｃ−８）変形例８
上述した第１及び第２実施形態において、利用者よりスタイラスペン２により位置が指定されていたが、利用者の指で指定されてもよいのはもちろんである。また、スタイラスペン側に連続して指定された位置を検出する機能を持たせてもよく、この場合、スタイラスペンから表示装置本体に無線信号等を用いて座標を通知し、本体側がそれに応じて指定の態様の変化を求めて、サンプリングレートを変更すればよい。
また、表示面１４１に重ねて配置されたタッチパネル１７に代えて、ペンタブレットと呼ばれるものを用いてもよい。すなわち、利用者が板状のタブレット上でペン型入力装置やマウス等を用いて軌跡を指定すると、装置がその位置を表す位置座標を読み取ってディスプレイ上のポインタを移動させて、表示面に軌跡画像を表示するというものである。
【００４４】
（Ｃ−９）変形例９
上述した第１及び第２実施形態において、制御部１１が実行していた制御の一部が他のハードウェアとの協働により行われてもよいし、これ以外の１又は複数のハードウェアが行うようにしてもよい。また、制御部１１がプログラムを実行して各制御を実行する場合、そのプログラムは、複数のプログラムの組み合わせによって実現されてもよく、そのプログラムは、磁気記録媒体（磁気テープ、磁気ディスクなど）、光記録媒体（光ディスク（ＣＤ、ＤＶＤ）など）、光磁気記録媒体、半導体メモリなどのコンピュータ読み取り可能な記録媒体に記録した状態で提供し得る。また、インターネット等の通信網経由でダウンロードさせることも可能である。
【図面の簡単な説明】
【００４５】
【図１】表示装置を示す外観図である。
【図２】表示装置の構成を示すブロック図である。
【図３】記憶性表示体の構造を模式的に示した図である。
【図４】利用者がスタイラスペンを使って表示面上に描画するときの様子の一例を示す図である。
【図５】タッチパネル上の位置と、表示面に表示される軌跡画像の位置との関係を表した図である。
【図６】タッチパネル上の位置と、表示面に表示される軌跡画像の位置との関係を表した図である。
【図７】サンプリングレートを高くした場合の、表示面に表示される軌跡画像の時系列的な遷移の様子を表す図である。
【図８】サンプリングレートを低くした場合の、表示面に表示される軌跡画像の時系列的な遷移の様子を表す図である。
【図９】タッチパネル上の位置と、表示面に表示される軌跡画像の位置との関係を表した図である。
【符号の説明】
【００４６】
１０…表示装置、１１…制御部、１２…電源部、１３…表示コントローラ、１４…記憶性表示体、１４１…表示面、１５…操作部、１６…記憶部、１７…タッチパネル、１８…バス、２…スタイラスペン。
【図１】
2010146267.tif 000003
【図２】
2010146267.tif 000004
【図３】
2010146267.tif 000005
【図４】
2010146267.tif 000006
【図５】
2010146267.tif 000007
【図６】
2010146267.tif 000008
【図７】
2010146267.tif 000009
【図８】
2010146267.tif 000010
【図９】
2010146267.tif 000011